(57)【要約】  船舶１を推進するための船舶用エンジンアセンブリ２が提供される。船舶用エンジンアセンブリ２は、推進装置８を駆動するように構成された内燃機関３０と、タービン出口４５を有するタービン部分４３を備えるターボチャージャ４２と、タービン出口４５に連結されたターボチャージャの排気導管６０とを備える。ターボチャージャの排気導管６０は、船舶用エンジンアセンブリ２内のターボチャージャ４２の主たる支持体として機能する。【選択図】図４
2022501544.tif 000002
【特許請求の範囲】
【請求項１】
船舶を推進するための船舶用エンジンアセンブリにおいて、前記船舶用エンジンアセンブリは、
推進装置を駆動するように構成された内燃機関と、
タービン出口を有するタービン部分を備えるターボチャージャと、
前記タービン出口に連結されたターボチャージャの排気導管とを備え、
前記ターボチャージャの排気導管は、前記船舶用エンジンアセンブリ内の前記ターボチャージャに対する主たる支持体として作用する、船舶用エンジンアセンブリ。
【請求項２】
前記ターボチャージャの排気導管は、前記ターボチャージャの前記船舶用エンジンアセンブリへの任意の他の接続部よりも大きな剛性を有する、請求項１に記載のアセンブリ。
【請求項３】
前記ターボチャージャからのいくつかの機械力のうちの多くは、前記ターボチャージャの前記船舶用エンジンアセンブリへの任意の他の接続部よりも、前記ターボチャージャの排気導管を通して相互作用される、請求項１又は２に記載のアセンブリ。
【請求項４】
前記ターボチャージャからのいくつかの機械力の実質的に全てが、前記ターボチャージャの排気導管を通して相互作用される、請求項１〜３のいずれか一項に記載のアセンブリ。
【請求項５】
前記ターボチャージャの排気導管は、剛性材料、例えば、金属材料から形成される、請求項１〜４のいずれか一項に記載のアセンブリ。
【請求項６】
前記船舶用エンジンアセンブリが支持構造を更に備え、前記ターボチャージャが前記支持構造に接続されている、請求項１〜５のいずれか一項に記載のアセンブリ。
【請求項７】
前記ターボチャージャの排気導管は、前記ターボチャージャを前記支持構造に堅固に接続するように構成されている、請求項６に記載のアセンブリ。
【請求項８】
前記船舶用エンジンアセンブリが、排気システム入口を有する排気システムを備え、更に、前記ターボチャージャの排気導管が前記排気システム入口に連結されている、請求項１〜７のいずれか一項のアセンブリ。
【請求項９】
前記排気システムが前記支持構造の機能を提供する、請求項６に従属する請求項８に記載のアセンブリ。
【請求項１０】
前記ターボチャージャの排気導管は、アダプタ部材を介して前記支持構造に接続されている、請求項６〜９のいずれか一項に記載のアセンブリ。
【請求項１１】
前記船舶用エンジンアセンブリが、前記内燃機関から前記ターボチャージャに排気ガスを送るように構成された排気マニホールドを更に備える、請求項１〜１０のいずれか一項に記載のアセンブリ。
【請求項１２】
前記ターボチャージャは、可撓性のある接続構成を介して前記排気マニホールドに接続されている、請求項１１に記載のアセンブリ。
【請求項１３】
前記ターボチャージャは、１つ以上の熱膨張継手を介して前記排気マニホールドに装着される、請求項１２に記載のアセンブリ。
【請求項１４】
前記ターボチャージャは、更に、前記ターボチャージャから前記内燃機関に圧縮空気を送るように構成された可撓性のあるホースを介して前記内燃機関に接続されている、請求項１〜１３のいずれか一項に記載のアセンブリ。
【請求項１５】
前記ターボチャージャの排気導管が、前記ターボチャージャの排気導管を冷却するための冷却装置を備える、請求項１〜１４のいずれか一項に記載のアセンブリ。
【請求項１６】
前記ターボチャージャの排気導管は、前記ターボチャージャの排気導管を冷却するために、そこを通る冷却剤流路を備える、請求項１５に記載のアセンブリ。
【請求項１７】
前記冷却剤流路は、排気流路の周囲を流れるように配置されている、請求項１６に記載のアセンブリ。
【請求項１８】
前記冷却剤流路は、前記排気流路を実質的に囲むように配置されている、請求項１７に記載のアセンブリ。
【請求項１９】
前記船舶用エンジンアセンブリが、使用時において前記内燃機関の下方に位置決めされるように配置された推進装置を更に備える、請求項１〜１８のいずれか一項に記載のアセンブリ。
【請求項２０】
前記船舶用エンジンアセンブリが、前記内燃機関に連結されかつ前記推進装置を駆動するように構成されたクランクシャフトを更に備える、請求項１９に記載のアセンブリ。
【請求項２１】
前記クランクシャフトは、使用時において実質的に垂直であることが意図される、請求項２０に記載のアセンブリ。
【請求項２２】
前記内燃機関はディーゼルエンジンである、請求項１〜２１のいずれか一項のアセンブリ。
【請求項２３】
前記排気導管出口は、使用時において前記内燃機関と実質的に同じ高さ又は前記内燃機関より低い位置に位置決めされている、請求項１〜２２のいずれか一項のアセンブリ。
【請求項２４】
前記ターボチャージャの排気導管は、前記排気導管の剛性を高めるための支持支柱部を備える、請求項１〜２３のいずれか一項のアセンブリ。
【請求項２５】
請求項１〜２４のいずれか一項の船舶用エンジンアセンブリを備える船舶。
【発明の詳細な説明】
【技術分野】
【０００１】
本発明は、船舶用エンジンアセンブリに関する。特に、本発明は、ターボチャージャを装着するための新規な手段を有する船舶用エンジンアセンブリに関する。
【背景技術】
【０００２】
船舶を推進するために、船舶の船尾部に船舶用エンジンアセンブリが取り付けられることが多い。エンジンアセンブリは、内燃機関と、推進装置と、排気システムとを備える。船舶用エンジンアセンブリでは、１つ以上のターボチャージャを有するディーゼル内燃機関を使用することができる。
【０００３】
従来、各ターボチャージャの重量は、少なくともほとんどの部分で、ターボチャージャが装着されている排気マニホールドによって支えられている。船外機のターボチャージャは、典型的には、その重量の大部分を有し、移動又は振動による加速力は、主として、それが接続されている排気マニホールドを通して相互作用する。このような構成では、船舶の環境、特に船外機アセンブリの環境において、厳しい実装要件を満たすことは困難となり得る。更に、船舶用エンジンアセンブリにおける熱管理も課題を提起し得る。
【発明の概要】
【発明が解決しようとする課題】
【０００４】
本発明は、従来技術に関連する１つ以上の課題を克服するか、又は少なくとも軽減することを目的とする。
【課題を解決するための手段】
【０００５】
本発明の第１の態様は、船舶を推進するための船舶用エンジンアセンブリにおいて、船舶用エンジンアセンブリは、推進装置を駆動するように構成された内燃機関と、タービン出口を有するタービン部分を備えるターボチャージャと、タービン出口に連結されたターボチャージャの排気導管とを備え、ターボチャージャの排気導管は、船舶用エンジンアセンブリ内のターボチャージャに対する主たる支持体として作用する、船舶用エンジンアセンブリを提供する。
【０００６】
ターボチャージャの排気導管は、ターボチャージャの船舶用エンジンアセンブリへの任意の他の接続部よりも大きな剛性を有しうる。
【０００７】
ターボチャージャの排気導管は、ターボチャージャを支持構造に堅固に装着するように構成することができる。
【０００８】
ターボチャージャからのいくつかの機械力のうちの多くは、ターボチャージャの船舶用エンジンアセンブリへの任意の他の接続部よりも、ターボチャージャの排気導管を通して相互作用されうる。
【０００９】
ターボチャージャからのいくつかの機械力の実質的に全てが、ターボチャージャの排気導管を通して相互作用されうる。
【００１０】
ターボチャージャの排気導管は、剛性材料、例えば、金属材料から形成されうる。
【００１１】
船舶用エンジンアセンブリは、支持構造を更に備えうる。ターボチャージャは支持構造に接続されうる。
【００１２】
船舶用エンジンアセンブリは、排気システム入口を有する排気システムを備えうる。ターボチャージャの排気導管は、排気システム入口に連結することができる。
【００１３】
排気システムは、支持構造体の機能を提供しうる。
【００１４】
ターボチャージャの排気導管は、アダプタ部材を介して支持構造に装着することができる。
【００１５】
船舶用エンジンアセンブリは、内燃機関からターボチャージャに排気ガスを送るように構成された排気マニホールドを更に備えうる。
【００１６】
ターボチャージャは、可撓性のある接続構成を介して排気マニホールドに接続されうる。
【００１７】
ターボチャージャは、１つ以上の熱膨張継手を介して排気マニホールドに装着されうる。
【００１８】
ターボチャージャは、タービン入口とタービン出口とを有するタービン部分を備えうる。ターボチャージャは、圧縮機入口と圧縮機出口とを有する圧縮機部分を備えうる。
【００１９】
排気マニホールドは、内燃機関からタービン入口に排気ガスを送るように構成されうる。
【００２０】
ターボチャージャの排気導管は、排気導管入口及び排気導管出口を有する排気流路を規定することができる。排気導管入口は、タービン出口に連結されうる。
【００２１】
ターボチャージャは、更に、ターボチャージャから内燃機関に圧縮空気を送るように構成された可撓性のあるホースを介して内燃機関に接続されうる。
【００２２】
ターボチャージャの排気導管は、ターボチャージャの排気導管を冷却するための冷却装置を備えうる。
【００２３】
ターボチャージャの排気導管は、ターボチャージャの排気導管を冷却するために、そこを通る冷却剤流路を備えうる。
【００２４】
また、冷却剤流路は、排気流路の周囲を流れるように配置されうる。
【００２５】
冷却剤流路は、排気流路を実質的に囲むように配置されうる。
【００２６】
船舶用エンジンアセンブリが、使用時において内燃機関の下方に位置決めされるように配置された推進装置をさらに備えうる。
【００２７】
船舶用エンジンアセンブリが、内燃機関に連結されかつ推進装置を駆動するように構成されたクランクシャフトを更に備えうる。
【００２８】
クランクシャフトは、使用時において実質的に垂直であることが意図されうる。
【００２９】
内燃機関はディーゼルエンジンとしうる。
【００３０】
排気導管出口は、使用時において内燃機関と実質的に同じ高さ又は内燃機関より低い位置に位置決めされうる。
【００３１】
ターボチャージャの排気導管は、排気導管の剛性を高めるための支持支柱部を備えうる。
【００３２】
本発明の第２の態様によれば、第１の態様による船舶用エンジンアセンブリを備える船舶が提供される。
【図面の簡単な説明】
【００３３】
【図１】図１は、船舶用エンジンアセンブリを備えた小型船舶の概略側面図である。
【図２ａ】図２ａは、傾斜位置にある船舶用エンジンアセンブリの模式図を示す。
【図２ｂ】図２ｂは、船舶用エンジンアセンブリの様々な位置調整された位置の一つと、水域内の船舶の対応する向きとを示す。
【図２ｃ】図２ｃは、船舶用エンジンアセンブリの様々な位置調整された位置の一つと、水域内の船舶の対応する向きとを示す。
【図２ｄ】図２ｄは、船舶用エンジンアセンブリの様々な位置調整された位置の一つと、水域内の船舶の対応する向きとを示す。
【図３】図３は一実施形態による船舶用エンジンアセンブリの概略断面を示す図である。
【図４】図４は、図３の船舶用エンジンアセンブリの一部の側面図を示す。
【図５】図５は、図４のターボチャージャの排気導管の斜視等角図を示す。
【図６】図６は、図５のターボチャージャの排気導管の別の斜視等角図を示す。
【発明を実施するための形態】
【００３４】
以下、添付図面を参照して本発明の実施形態を説明する。
【００３５】
まず、図１を参照すると、船外機アセンブリの形態の、船舶用エンジンアセンブリ２を備えた船舶１の概略側面図が示されている。船舶１は、連絡船又はスキューバダイビングボートなどの、船舶用エンジンアセンブリと共に使用するのに適した任意の種類の船舶としうる。図１に示す船舶用エンジンアセンブリ２が船舶１の船尾部に取り付けられている。船舶用エンジンアセンブリ２は、通常、船舶１の船体内に受け入れられている燃料タンク３に接続されている。リザーバ又はタンク３からの燃料は、燃料ライン４を介して船舶用エンジンアセンブリ２に供給される。燃料ライン４は、燃料タンク３と船舶用エンジンアセンブリ２との間に配置された、１つ以上のフィルタと低圧ポンプと（水が船舶用エンジンアセンブリ２に入るのを防止するための）セパレータタンクを集合的に配置したものとしうる。
【００３６】
以下に更に詳細に説明するように、船舶用エンジンアセンブリ２は、概ね、上側部分２１と中間部分２２と下側部分２３の３つの部分に分割されている。中間部分２２及び下側部分２３は、しばしば、集合的に脚部として知られ、この脚部は排気システムを収容する。プロペラ８は、船舶用エンジンアセンブリ２のギアボックスとしても知られる、下側部分２３において、プロペラシャフト９上に回転可能に配置されている。当然のことながら、作動中、プロペラ８は、少なくとも部分的には水中に沈められており、船舶１を推進するために、様々な回転速度で作動させることができる。推進装置は、プロペラ８の形態で、使用時に内燃機関の下方に位置決めされるように配置されている。
【００３７】
典型的には、船舶用エンジンアセンブリ２は、ピボットピンによって、船舶１の船尾部に回動可能に接続されている。ピボットピンの回りの枢動により、操作者が、公知の方法で、水平軸線の回りで船舶用エンジンアセンブリ２を傾斜させて位置調整することができる。更に、当技術分野でよく知られているように、船舶用エンジンアセンブリ２は、船舶１の船尾部にも回動可能に装着されており、これにより、略直立軸線を中心に回動して、船舶１を操縦することができる。
【００３８】
傾斜とは、船舶用エンジンアセンブリ２全体が完全に水中から出て上昇することができるように、船舶用エンジンアセンブリ２を十分に上昇させる動きである。船舶用エンジンアセンブリ２を傾斜動作は、船舶用エンジンアセンブリ２の電源を切った状態又は中立状態で行う。しかしながら、いくつかの例では、船舶用エンジンアセンブリ２は、浅い海域での動作を可能にするように、傾斜範囲での船舶用エンジンアセンブリ２の限定的な運転を可能にするように構成することができる。従って、船舶用エンジンアセンブリは、主に、脚部の長手軸線が実質的に垂直方向にある状態で作動させられる。船舶用エンジンアセンブリ２の脚部の長手軸線と実質的に平行である船舶用エンジンアセンブリ２のエンジンのクランクシャフトは、船舶用エンジンアセンブリ２の通常作動中では概ね垂直方向に配向されるであろうが、特定の作動条件下、特に浅い水中で船舶で作動される場合では、非垂直方向に配向されうる。エンジンアセンブリの脚部の長手軸線に実質的に平行に配向されている船舶用エンジンアセンブリ２のクランクシャフトは、垂直クランクシャフト配置とも呼ばれ得る。エンジンアセンブリの脚部の長手軸線に対して実質的に垂直に配向された船舶用エンジンアセンブリ２のクランクシャフトは、水平クランクシャフト配置と呼ぶこともできる。
【００３９】
前述したように、適切に作動させるためには、船舶用エンジンアセンブリ２の下側部分２３及びプロペラ８が水中に延びている必要がある。しかしながら、極めて浅い水域では、又は、トレーラから船舶を進水させる際、船舶用エンジンアセンブリ２の下側部分２３はが下方に傾斜位置にある場合に、海底で引きずられたり、ボートが傾斜したりすることがある。船舶用エンジンアセンブリ２を傾斜させて図２ａに示す位置のように上方に傾斜した位置に傾けることによって、下側部分２３及びプロペラ８の損傷を防止する。
【００４０】
対照的に、位置調整は、図２ｂ〜図２ｄの３つの例に示すように、船舶用エンジンアセンブリ２を完全に下降した位置から数度上方へ比較的小さな範囲にわたって移動させる機構である。位置調整は、対応する船舶１の燃費と加速と高速動作の最良の組合せを提供する方向にプロペラ８の推力を導くのに役立つであろう。
【００４１】
船舶１が平面上にある場合、すなわち、船舶１の重量が、静水揚力ではなく、流体力学的揚力によって主に支持される場合、船首上げ構成は、抗力が比較的少なく、比較的大きな安定性及び効率をもたらす。これは、例えば図２ｂに示すように、ボート又は船舶１の中心線が約３度〜５度で上向きである場合に一般的に当てはまる。
【００４２】
傾斜が多すぎると、図２ｃに示す位置などのように、水中で船舶の船首が高すぎる状態になる。この形態では、船舶１の船体が水を押しており、その結果、より多くの空気抵抗が生じるので、性能と経済性は減少する。上方への傾斜が多すぎると、プロペラが通気し、性能がさらに低下することもある。さらに厳しい場合には、船舶１が水中で跳び、操作者と乗客がボード外に投げてしまう可能性がある。
【００４３】
下方に傾斜すると、船舶１の船首が下がり、立ち上がりからの加速に役立つ。図２ｄに示すように、下方への傾斜が多すぎると、船舶１が水中を「かきわけ（plough）」、燃費が落ちて速度が上がりにくくなる。高速では、下方への傾斜により船舶１が不安定になることさえある。
【００４４】
船舶用エンジンアセンブリ２は、前述の傾斜及び位置調整動作を行うための傾斜及び位置調整機構７を備える。この実施形態では、傾斜及び位置調整機構７は、電気制御システムを介して船舶用エンジンアセンブリ２を傾斜させて位置調整するように作動させることができる流体圧アクチュエータ１３を備える。あるいは、図３に示す流体圧アクチュエータを使用するのではなく、操作者が手で船舶用エンジンアセンブリ２を回動させる、手動傾斜及び位置調整機構を提供することも実現可能である。
【００４５】
図３を参照すると、一実施形態による船舶用エンジンアセンブリ２の概略断面が示されている。
【００４６】
上述したように、船舶用エンジンアセンブリ２は、概ね３つの部分に分割されている。発動機としても知られる上側部分２１は、船舶１に動力を供給するための内燃機関３０を備える。カウリング３１が内燃機関３０の周囲に配置されている。
【００４７】
上側部分２１又は発動機に隣接して下方に延びている、中間部分２２が設けられている。下側部分２３は、中間部分２２に隣接しして下方に延びており、中間部分２２は、上側部分２１を下側部分２３に接続している。中間部分２２は、内燃機関３０とプロペラシャフト９の間に延びている駆動シャフト３６を収容している。通気防止プレート１１は、表面空気がプロペラ８の負圧側に吸い込まれるのを防止している。
【００４８】
中間部分２２及び下側部分２３は、排気システム２４を形成し、この排気システムは、内燃機関３０から下側部分２３に向かって排気を輸送するための排気ガス流路を規定している。
【００４９】
排気システム２４は、プロペラ８を収容することに加えて、１つ以上の排気ガス出口を規定している。例示的な実施形態において、下側部分２３は、プロペラ駆動シャフト９に隣接する第１の排気出口３２を提供する。プロペラ８が内燃機関３０によって駆動されて船舶１を推進すると、プロペラ８によって生成された負圧により、中間部分２２を通って第１の排気出口３２に向かって排気ガスを吸引する。この構成により、水中における大部分の排気ガスを第１の排気出口３２を通して排出する。
【００５０】
追加の排気ガス出口を設けることもでき、出口は、水線の下及び上方の両方に設けられる。これにより、プロペラ排気出口３２を通って排出されない残りの排気ガスを、船舶用エンジンアセンブリ２から排出することができる。特に、追加の排気ガス出口を設けることにより、プロペラ８によって生成される負圧がない場合（すなわち、プロペラ８がアイドル状態の場合）に、排気ガスを船舶用エンジンアセンブリ２からより容易に排出することができる。例示的な図示の実施形態では、第２の排気ガス出口３３が中間部分２２に設けられている。船舶が平面上にあるとき、図２ｂに例示されているように、第２の排気ガス出口３３は、水線の上方に位置決めされるように配置される。
【００５１】
ここで図４を参照すると、発動機２１は、外部のカウリング３１が取り外された状態で概略的に示されている。
【００５２】
船舶用エンジンアセンブリ２は、空気を船舶用エンジンアセンブリ２の空気入口ダクト３８内に引き込む空気入口を有し、空気は空気フィルタ４０を介して入口ダクト３８内に引き込まれる。船舶用エンジンアセンブリ２には、内燃機関３０の出力を向上させるためのターボチャージャ４２が設けられている。ターボチャージャは、タービン入口４４及びタービン出口４５を有するターボチャージャタービン部分４３と、圧縮機入口４７及び圧縮機出口４８を有するターボチャージャ圧縮機部分４６とから形成される。
【００５３】
ターボチャージャ圧縮機入口４７は、入口ダクト３８の下流側端部に接続されており、空気をそこで圧縮できるようになっている。圧縮空気は、圧縮機出口４８からダクト５２を介して内燃機関３０の入口５０に流れる。図示の実施例では、ダクト５２は、圧縮機出口４８から内燃機関３０に圧縮空気を送るように構成された可撓性のあるホースとして設けられている。このようにして、フィルタ処理された空気は、内燃機関３０に入る前にその内部で圧縮されるようにターボチャージャ圧縮機４６に流入することができる。
【００５４】
内燃機関３０での燃焼に続いて、内燃機関からの排気ガスは、内燃機関３０からの排気ガスをターボチャージャタービン入口４４に送るように構成された排気マニホールド５４に通過する。このようにして、内燃機関３０から排出される排気ガスは、空気が内燃機関３０に入る前に空気を圧縮するように、ターボチャージャ４２のタービンを駆動するために使用される。
【００５５】
図示の実施形態では、ターボチャージャ４２は、排気マニホールドダクト５６を備える、可撓性のある接続構成を介して排気マニホールド５４に装着されている。ダクト５６は、ターボチャージャ４２が熱膨張継手部５８を介して排気マニホールド５４に装着されるように、熱膨張継手部５８を有している。
【００５６】
ターボチャージャ４２のタービン部分４３を駆動した後、排気ガスは、ターボチャージャの排気導管６０を介して排気システム２４に流れ、１つ以上のガス出口に導かれるようになる。
【００５７】
ターボチャージャの排気導管６０は、そこを通る排気流路を規定する。ターボチャージャの排気導管６０は、排気導管入口６２及び排気導管出口６４を有する。
【００５８】
船舶用途において、ターボチャージャ４２を支持する配置は、従来、排気マニホールドを介して達成されてきた。しかしながら、この実装・支持構成は、船舶用エンジンアセンブリの全体の実装に関しては、次善策であることが判明している。
【００５９】
本実施形態では、ターボチャージャの排気導管６０は、船舶用エンジンアセンブリ２内のターボチャージャ４２に対する主たる支持体として作用する。ターボチャージャ４２に十分な支持を提供するために、ターボチャージャの排気導管６０は、船舶用エンジンアセンブリ２内の支持構造体に装着されている。すなわち、ターボチャージャの排気導管６０は、ターボチャージャ４２を支持構造体に堅固に装着するように構成されている。
【００６０】
船舶用エンジンアセンブリ２の様々な異なる構成要素が、船舶用エンジンアセンブリ２の脚部の一部（例えば、中間部分２２の一部）や、内燃機関３０の１つ以上の構成要素や、内燃機関３０と脚部との間に設けられたアダプタ部材などの、支持構造の機能を提供し得ることが理解されるであろう。
【００６１】
排気システム２４は、排気システム入口５９（図３に図示）を画定し、ターボチャージャの排気導管６０の出口６４（図６に図示）は、排気システム入口５９に連結される。このようにして、接続部は、ターボチャージャの排気導管６０を排気システム２４に堅固に装着する。図示されていないが、ターボチャージャの排気導管６０は、内燃機関３０と脚部との間に設けられたアダプタ部材を介して排気システム入口５９に堅固に装着することができる。このようにして、支持構造を排気システム２４の一部として（すなわちアダプタ部材を介して）設けることができる。
【００６２】
ターボチャージャの排気導管６０は、好ましくは、ターボチャージャ４２の船舶用エンジンアセンブリ２への他のいかなる接続部よりも大きな剛性を有する。すなわち、ターボチャージャの排気導管は、エンジン入口ダクト５２又は排気マニホールドダクト５６よりも、入口ダクト３８の１つ以上、好ましくは全てよりも高い剛性を有する。ターボチャージャの排気導管は、好ましくは、排気マニホールドダクト５６よりも高い剛性を有する。
【００６３】
この構成により、ターボチャージャ４２からのいくつかの機械力の実質的に全てがターボチャージャの排気導管６０を通して相互作用されうる。換言すれば、ターボチャージャ４２からの力の多くは、ターボチャージャの１つ以上の他の接続部よりも（例えば、入口ダクト３８、エンジン入口ダクト５２及び／又は排気マニホールドダクト５６よりも）、ターボチャージャの排気導管６０を通して相互作用される。
【００６４】
示されているように、ターボチャージャの排気導管６０の配置は、使用時において、排気導管出口６４が、内燃機関３０と実質的に同じ高さに又はそれよりも低い位置に位置決めされるようになっている。
【００６５】
最後に、図５及び図６を参照すると、ターボチャージャの排気導管６０がより詳細に図示されている。
【００６６】
ターボチャージャの排気導管６０には、ターボチャージャの排気導管６０をターボチャージャ４２のタービン出口４５に装着するための第１の装着構成６６が設けられている。図示の実施形態では、ターボチャージャの排気導管６０は、締結具６９をそこを通して受け入れるための４つのボア６６を備える。
【００６７】
ターボチャージャの排気導管６０には、ターボチャージャの排気導管６０を排気システム２４の排気システム入口５９に装着するための第２の装着構成６８が設けられている。より具体的には、装着構成６８は、導管６０と排気システム２４との間に設けられたアダプタ部材に排気導管出口６４を装着する。図示の実施形態では、ターボチャージャの排気導管６０は、締結具６９をそこを通して受け入れるための４つのボア６８を備える。
【００６８】
排気導管出口６４に隣接して、ターボチャージャの排気導管６０は、そこを通るボア７０と、追加の冷却剤ダクトをボア７０に固定するための第３の装着装置７２とを備える。この追加の冷却装置は、船舶用エンジンアセンブリ２の追加の構成要素を冷却することができるように設けることができる。
【００６９】
ターボチャージャ４２に十分な支持を提供するために、ターボチャージャの排気導管６０は、金属材料などの剛性材料から形成される。本実施形態では、ターボチャージャの排気導管６０は、アルミニウムから形成されるが、任意の適切な剛性材料を使用することができる。
【００７０】
ターボチャージャの排気導管６０は、側面視でほぼＬ字形状となるように湾曲している。ターボチャージャの排気導管６０の剛性を高めるために、支持支柱部７４を設けうる。図示の実施形態では、支持支柱部７４は、導管入口６２の近傍から導管出口６４の近傍まで延びている。代替的な構成では、支柱部は省略されうることが理解されるであろう。
【００７１】
ターボチャージャの出口は、かなりの高温の構成要素である。すなわち、ターボチャージャの排気導管６０は、著しい高温の構成要素である。船舶用エンジンアセンブリ２内の空間が限られているため、ターボチャージャの排気導管６０はカウリングの近くを延び、カウリングの損傷を招く恐れがある。
【００７２】
ターボチャージャの排気導管６０には、更に、ターボチャージャの排気導管６０を冷却するための冷却装置が設けられている。冷却装置は、ターボチャージャの排気導管６０を通る冷却剤流路の形態で設けられ、冷却剤、例えば、水がそれに沿って流れうる。
【００７３】
冷却剤流路は、導管入口６２に近接する入口７６と、導管出口６４に近接する出口７８とを画定する。より具体的には、冷却剤流路の出口７８は、排気導管出口６４の周囲に位置決めされて配置され得る、図示された４つの別々の出口などの複数の出口に分割されている。
【００７４】
排気出口導管６０は、冷却効率を向上させるように、冷却剤流路が排気流路の周囲に延びるように構成されている。別の方法では、冷却剤流路は、排気流路を実質的に取り囲むように（すなわち、冷却剤カバーを提供するように）配置される。
【００７５】
実施形態において、冷却剤カバーは、ターボチャージャの排気導管６０の内壁と外壁との間に空洞を形成することによって提供される。別の方法をとると、冷却剤カバーは、ターボチャージャの排気導管の外壁と排気流路の外壁との間に空洞を設けることによって形成される。
【００７６】
排気出口導管６０は、冷却剤流路入口７６に近接する導管入口６２を有するものとして説明されてきたが、代替の構成では、冷却装置が対向分流の流路を規定するように、冷却剤流路入口７６と冷却剤出口７８とを切り替えることができることは理解されよう。
【００７７】
本発明は、１つ以上の好ましい実施形態を参照して上述されてきたが、添付の特許請求の範囲で定義される本発明の範囲から逸脱することなく、様々な変更又は修正を行うことができることが理解されるであろう。
【図１】
2022501544.tif 000003
【図２ａ】
2022501544.tif 000004
【図２ｂ】
2022501544.tif 000005
【図２ｃ】
2022501544.tif 000006
【図２ｄ】
2022501544.tif 000007
【図３】
2022501544.tif 000008
【図４】
2022501544.tif 000009
【図５】
2022501544.tif 000010
【図６】
2022501544.tif 000011
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
船舶を推進するための船舶用エンジンアセンブリにおいて、前記船舶用エンジンアセンブリは、
推進装置を駆動するように構成された内燃機関と、
タービン出口を有するタービン部を備えるターボチャージャと、
前記ターボチャージャを支持するための支持構造と、
前記タービン出口に連結されたターボチャージャの排気導管であって、使用時において使用時において前記内燃機関と実質的に同じ高さ又は前記内燃機関より低い位置に位置決めされている排気導管出口を備える、ターボチャージャの排気導管と、
前記船舶用エンジンアセンブリの脚部において収容されている排気システムであって、前記ターボチャージャの排気導管出口に連結されている排気システム入口を有する排気システムとを備え、
前記ターボチャージャの排気導管は、剛性材料から形成されており、かつ、前記排気システム入口に堅固に装着されており、前記ターボチャージャの排気導管は、前記船舶用エンジンアセンブリ内の前記ターボチャージャに対する主たる支持体として作用し、前記排気システムが前記支持構造の機能を提供する、船舶用エンジンアセンブリ。
【請求項２】
前記ターボチャージャの排気導管は、前記ターボチャージャの前記船舶用エンジンアセンブリへの任意の他の接続部よりも大きな剛性を有する、請求項１に記載の船舶用エンジンアセンブリ。
【請求項３】
前記ターボチャージャからのいくつかの機械力のうちの多くは、前記ターボチャージャの前記船舶用エンジンアセンブリへの任意の他の接続部よりも、前記ターボチャージャの排気導管を通して相互作用される、請求項１又は２に記載の船舶用エンジンアセンブリ。
【請求項４】
前記ターボチャージャからのいくつかの機械力の実質的に全てが、前記ターボチャージャの排気導管を通して相互作用される、請求項１〜３のいずれか一項に記載の船舶用エンジンアセンブリ。
【請求項５】
前記ターボチャージャの排気導管は、金属材料から形成される、請求項１〜４のいずれか一項に記載の船舶用エンジンアセンブリ。
【請求項６】
前記ターボチャージャの排気導管は、前記内燃機関と前記脚部の間に設けられているアダプタ部材を介して前記排気システム入口に堅固に接続されている、請求項１〜５のいずれか一項に記載の船舶用エンジンアセンブリ。
【請求項７】
前記船舶用エンジンアセンブリが、前記内燃機関から前記ターボチャージャに排気ガスを送るように構成された排気マニホールドを更に備える、請求項１〜６のいずれか一項に記載の船舶用エンジンアセンブリ。
【請求項８】
前記ターボチャージャは、可撓性のある接続構成を介して前記排気マニホールドに接続されている、請求項７に記載の船舶用エンジンアセンブリ。
【請求項９】
前記ターボチャージャは、１つ以上の熱膨張継手を介して前記排気マニホールドに装着される、請求項８に記載の船舶用エンジンアセンブリ。
【請求項１０】
前記ターボチャージャは、更に、前記ターボチャージャから前記内燃機関に圧縮空気を送るように構成された可撓性のあるホースを介して前記内燃機関に接続されている、請求項１〜９のいずれか一項に記載の船舶用エンジンアセンブリ。
【請求項１１】
前記ターボチャージャの排気導管が、前記ターボチャージャの排気導管を冷却するための冷却装置を備える、請求項１〜１０のいずれか一項に記載の船舶用エンジンアセンブリ。
【請求項１２】
前記ターボチャージャの排気導管は、前記ターボチャージャの排気導管を冷却するために、そこを通る冷却剤流路を備える、請求項１１に記載の船舶用エンジンアセンブリ。
【請求項１３】
前記冷却剤流路は、排気流路の周囲を流れるように配置されている、請求項１２に記載の船舶用エンジンアセンブリ。
【請求項１４】
前記冷却剤流路は、前記排気流路を実質的に囲むように配置されている、請求項１３に記載の船舶用エンジンアセンブリ。
【請求項１５】
前記船舶用エンジンアセンブリが、使用時において前記内燃機関の下方に位置決めされるように配置された推進装置を更に備える、請求項１〜１４のいずれか一項に記載の船舶用エンジンアセンブリ。
【請求項１６】
前記船舶用エンジンアセンブリが、前記内燃機関に連結されかつ前記推進装置を駆動するように構成されたクランクシャフトを更に備える、請求項１５に記載の船舶用エンジンアセンブリ。
【請求項１７】
前記クランクシャフトは、使用時において実質的に垂直であることが意図される、請求項１６に記載の船舶用エンジンアセンブリ。
【請求項１８】
前記内燃機関はディーゼルエンジンである、請求項１〜１７のいずれか一項の船舶用エンジンアセンブリ。
【請求項１９】
前記ターボチャージャの排気導管は、前記排気導管の剛性を高めるための支持支柱部を備える、請求項１〜１７のいずれか一項の船舶用エンジンアセンブリ。
【請求項２０】
請求項１〜１９のいずれか一項の船舶用エンジンアセンブリを備える船舶。
【国際調査報告】
2022501544.tif 000012
2022501544.tif 000013